(57)【要約】【課題】例えば内係合体と外係合体の位相が不一致であっても、摘み部材を左右いずれかの方向に回すだけで良いこと。【解決手段】摘み部材に所定位置で左右方向に回転自在に軸支されかつキー軸後端部に内係合体を有するキー本体と、内係合体よりも前方のキー軸後端部に軸方向に移動可能に設けられていると共に、突出外端部が摘み部材に内装の復帰バネのバネ力により該摘み部材の先端面から所定量突出するように付勢され、かつ該摘み部材内に位置する嵌挿内端部に外係合体を有するトリガー部材とを備え、摘み部材を持ってキー本体を鍵穴に差込んで行くと、トリガー部材の先端面が鍵穴の周囲に当たりながら復帰バネのバネ力に抗して後退し、外係合体と内係合体が互いにクラッチ状態に係合することを条件として摘み部材とトリガー部材とキー本体がそれぞれ共働回転するように一体的に結合する携帯型の錠前用キー。【選択図】図１
2015098769.tif 000002
【特許請求の範囲】
【請求項１】
摘み部材に所定位置で左右方向に回転自在に軸支されかつキー軸後端部に内係合体を有するキー本体と、前記内係合体よりも前方の前記キー軸後端部に軸方向に移動可能に設けられていると共に、突出外端部が前記摘み部材に内装の復帰バネのバネ力により該摘み部材の先端面から所定量突出するように付勢され、かつ該摘み部材内に位置する嵌挿内端部に外係合体を有するトリガー部材とを備え、摘み部材を持ってキー本体を鍵穴に差込んで行くと、トリガー部材の先端面が鍵穴の周囲（一部も含む）に当たりながら復帰バネのバネ力に抗して後退し、前記外係合体の内係合歯と前記内係合体の外係合歯が互いに噛合することを条件として摘み部材とトリガー部材とキー本体がそれぞれ共働回転するように一体的に結合する携帯型の錠前用キー。
【請求項２】
請求項１に於いて、内係合体はキー軸後端部に軸方向に移動可能に設けられ、該内係合体の一側面と摘み部材の収納空間の前記一側面と対向する内面には内係合体用緩衝バネが配設されていることを特徴とする携帯型の錠前用キー。
【請求項３】
請求項１に於いて、摘み部材の収納空間には、復帰バネが複数個組み込まれていることを特徴とする携帯型の錠前用キー。
【請求項４】
摘み部材に所定位置で左右方向に回転自在に軸支されかつキー軸後端部に内係合体を有するキー本体と、前記内係合体よりも前方の前記キー軸後端部に軸方向に移動可能に設けられていると共に、突出外端部が前記摘み部材に内装の復帰バネのバネ力により該摘み部材の先端面から所定量突出するように付勢され、かつ該摘み部材内に位置する嵌挿内端部に外係合体を有するトリガー部材とを備え、摘み部材を持ってキー本体を鍵穴に差込んで行くと、トリガー部材の先端面が鍵穴の周囲（一部も含む）に当たりながら復帰バネのバネ力に抗して後退し、外係合体の内係合面と内係合体の外係合面が互いに係合することを条件として摘み部材とトリガー部材とキー本体がそれぞれ共働回転するように一体的に結合する携帯型の錠前用キー。
【請求項５】
摘み部材に所定位置で左右方向に回転自在に軸支された棒状キー本体と、この棒状キー本体のキー軸後端部に係合状態で外嵌合するトリガー部材と、このトリガー部材の後端部に押圧され得るように前記キー軸後端部に外嵌合する内係合体と、前記キー軸後端部に間隙を有して外嵌合する外係合体と、先端部が前記内係合体に圧接し、一方、後端部が前記外係合体と圧接する内係合体用の復帰バネとを備え、摘み部材を持って棒状キー本体を鍵穴に差込んで行くと、トリガー部材の先端面が鍵穴の周囲（一部も含む）に当たりながら該トリガー部材及び内係合体が前記復帰バネのバネ力に抗して後退し、内係合体が前記外係合体の係合孔にクラッチ状態に係合することを条件として摘み部材とトリガー部材とキー本体がそれぞれ共働回転するように一体的に結合する携帯型の錠前用キー。
【請求項６】
請求項５に於いて、内係合体用の復帰バネの先端部は、内係合体の先端鍔部に設けられたリング状バネ受けを介して内係合体に圧接していることを特徴とする携帯型の錠前用キー。
【請求項７】
請求項５に於いて、外係合体はキー軸後端部に軸方向に移動可能に設けられ、該外係合体の後面と摘み部材の収納空間の前記後面と対向する内面には外係合体用緩衝バネが配設されていることを特徴とする携帯型の錠前用キー。
【請求項８】
請求項５に於いて、外係合体の内周面に幅広凹所と幅狭凸所を有する係合孔に内嵌合する内係合体は、その係合筒部の外周面に幅広の第１段差部分と幅狭の第２段差部分とが、後端面側から先端面側に向かって、かつ周方向に所定間隔を有して複数個設けられ、周方向に位置する前記幅広の第１段差部分同志の間は大きい入江状係合部分であり、一方、周方向に位置する前記第２段差部分同志の間は小さい入江状係合部分であり、クラッチの作動時、前記幅広凹所に前記第１段差部分が遊嵌合状態に係入した場合は不完全なクラッチ段階であり、一方、前記幅広凹所に前記第１段差部分と共に前記第２段差部分が係入した場合は完全なクラッチ段階であることを特徴とする携帯型の錠前用キー。
【請求項９】
請求項１、請求項４、請求項５のいずれかに於いて、キー本体のキーコードを有する棒状先端部には、やや小径の弾頭状キー挿入補助突起が連続形成されていることを特徴とする携帯型の錠前用キー。
【発明の詳細な説明】
【技術分野】
【０００１】
本発明は、携帯型の錠前用キーに関する。
【背景技術】
【０００２】
特許文献１及び特許文献２は出願人が提案したもので、まず特許文献１には「外筒体１にキーガイド３を介して後退かつ回転可能に支持されたキー１１と、外筒体に案内手段を介して非回転の状態で後退動可能に係合しかつ該外筒体の先端開口から突出する連結体２１と、キーを常に突出方向へ付勢するキー用復帰バネ３１と、連結体を常に突出方向へ付勢する連結体用復帰バネとを備え、さらに、前記キーの後端部側にキー回転止用の係合部５１ａを設け、鍵穴ａに前記キー１１を挿入する際、外筒体１を持ってキーの差込み部分を前記鍵穴に交差状態に圧接すると、該キーは前記キーガイド７を介して回転して前記差込み部分が錠前の鍵穴と一致し、その後、前記連結体２１が錠前の鍵穴ａの周囲（一部も含む）に押付けられながら所定位置まで後退すると共に前記差込み部分が前記鍵穴に完全に入り込んだ際に、該連結体の係合後端部２１ａがキーの係合部５１ａに係合して外筒体１と連結体２１とキー１１がそれぞれ一体的に結合する携帯型の錠前用キー挿入補助具」が記載されている。この特許文献１は、キーの先端部を錠前の鍵穴に合わせる際に、キーが回転しながら後退動する構成であるが、試作品の実験結果を考慮すると、摘み部材としての外筒体１を回さず、キーのみを強制的に誘導回転させて鍵穴に差込む態様は、相手方（錠前側）のシンリダーの長さや鍵穴の形状如何によって誤差が生じ、いわゆる鍵合わせが困難であるという問題点があった。
【０００３】
また、特許文献２には「外筒体１にキーガイド７を介して後退かつ回転可能に支持されたキー１１と、外筒体に案内手段３を介して非回転の状態で後退動可能に係合しかつ該外筒体の先端開口４から突出する連結体２１と、キー１１を常に突出方向へ付勢するキー用復帰バネ３１と、連結体を常に突出方向へ付勢する連結体用復帰バネ４１とを備え、さらに、連結体の先端部側にキーの差込み部分を保持した状態で該キーと共に共働回転する可動キー保持体９を設け、またキーの後端部側にキー回転止用の係合部５１を設け、キーが錠前の鍵穴ａに交差状態に圧接する際にキーガイド７に誘導されて回転すると、可動キー保持体９も連結体２１に支持された状態でキー１１と一緒に共働回転し、連結体が錠前の鍵穴の周囲（一部も含む）に押付けられながら所定位置まで後退すると共に、キーの差込み部分が鍵穴に完全に入り込んだ際に、該連結体の係合後端部２２が前記係合部５１に係合して外筒体１と連結体２１とキー１１がそれぞれ一体的に結合する携帯型の錠前用キー挿入補助具」が開示されている。
【０００４】
この特許文献２も前記特許文献１と同様に基本的構成は同一なので、上記と同様の問題点があると共に、キー用復帰バネ３１、可動キー保持体９等が必要となるので、構成が複雑となるという問題点があった。そこで、特許文献１及び特許文献２の問題点を解消することが要望されていた。なお、符号は各特許文献１及び特許文献２のものである。
【先行技術文献】
【特許文献】
【０００５】
【特許文献１】特開２０１２−１７２４５６号公報
【特許文献２】特開２０１２−１７２４９５号公報
【発明の概要】
【発明が解決しようとする課題】
【０００６】
本発明の第１の目的は、特許文献１と特許文献２の問題点に鑑み、鍵穴の角度とキーの挿入角度が不一致の場合に、その角度差如何を問わず、鍵穴に対して鍵合わせを容易にできるようにすることである。また鍵穴にキー本体を差し込んだ場合に於いて、摘み部材の回転を左右方向に補正することにより、キー本体と摘み部材をスムースに合体させることである。付言すると、キー本体とトリガー部材と外係合体が共働回転する際、仮にキー本体側の内係合体とトリガー部材側の外係合体の位相が多少不一致であっても、又はキー本体とトリガー部材と内係合体が共働回転する際、キー本体側の外係合体とトリガー部材側の内係合体が係合状態でないとか、或いは「図４２の（ａ）で示すように、外係合体１０Ｂの一部が予め内係合体９Ｂの第１係合部分５４ａに係合している第３実施形態」の場合には、キー挿入時、両者の係合部分と被係合部分の位相が一致している場合には摘み部材１Ｂを回すことなく、そのまま押し込むだけで直ちに完全なクラッチ状態(摘み部材１Ｂを回さなくても良いパターン)になり、またキー挿入時、図４２の（ｂ）で示すように、不完全なクラッチ状態となった場合であっても、摘み部材１Ｂを左右方向のいずれかに若干回すだけで（僅かな回転操作量により）、施・解錠することが可能となり(摘み部材１Ｂを時計方向又は左右方向のいずれかに若干回すパターン)、さらに、より好ましくは、前記図４２の（ｂ）のパターンに於いて、両者の係合部分と被係合部分の位相を一致させるために摘み部材１Ｂを若干回して、図４２の（ｃ）で示すように、不完全なクラッチ状態から直ちに完全なクラッチ状態させ(第３のパターン)、摘み部材を摘まんでキー本体を回転させることである。第２の目的は、使用時、キー本体側の内係合体或いは外係合体とトリガー部材側の外係合体或いは内係合体の縁部分が損傷しないことである。第３の目的は、トリガー部材を確実に復帰させることである。
【課題を解決するための手段】
【０００７】
本発明の携帯型の錠前用キーは、摘み部材１に所定位置で左右方向に回転自在に軸支されかつキー軸後端部１４に内係合体９を有するキー本体２と、前記内係合体９よりも前方の前記キー軸後端部１４に軸方向に移動可能に設けられていると共に、突出外端部２１ａが前記摘み部材に内装の復帰バネ４のバネ力により該摘み部材１の先端面から所定量突出するように付勢され、かつ該摘み部材１内に位置する嵌挿内端部に外係合体１０を有するトリガー部材３とを備え、摘み部材１を持ってキー本体２を鍵穴ａに差込んで行くと、トリガー部材３の先端面が鍵穴ａの周囲（一部も含む）ｂに当たりながら前記復帰バネ４のバネ力に抗して後退し、前記外係合体１０の内係合歯１０ａと前記内係合体９の外係合歯９ａが互いに噛合することを条件として摘み部材１とトリガー部材３とキー本体２がそれぞれ共働回転するように一体的に結合することを特徴とする（請求項１）。
【０００８】
また、本発明の携帯型の錠前用キーは、摘み部材１に所定位置で左右方向に回転自在に軸支されかつキー軸後端部１４に内係合体９Ａを有するキー本体２と、前記内係合体よりも前方の前記キー軸後端部１４に軸方向に移動可能に設けられていると共に、突出外端部２１ａが前記摘み部材１内装の復帰バネ４のバネ力により該摘み部材１の先端面から所定量突出するように付勢され、かつ該摘み部材１内に位置する嵌挿内端部に外係合体１０Ａを有するトリガー部材３Ａとを備え、摘み部材１を持ってキー本体２を鍵穴に差込んで行くと、トリガー部材の先端面が鍵穴ａの周囲（一部も含む）ｂに当たりながら前記復帰バネ４のバネ力に抗して後退し、外係合体１０Ａの内係合面１０ａと内係合体９Ａの外係合面９ａが互いに係合することを条件として摘み部材１とトリガー部材３Ａとキー本体２がそれぞれ共働回転するように一体的に結合することを特徴とする（請求項４）。
【０００９】
さらに、本発明の携帯型の錠前用キーは、摘み部材に所定位置で左右方向に回転自在に軸支された棒状キー本体と、この棒状キー本体のキー軸後端部に係合状態で外嵌合するトリガー部材と、このトリガー部材の後端部に押圧され得るように前記キー軸後端部に外嵌合する内係合体と、前記キー軸後端部に間隙を有して外嵌合する外係合体と、先端部が前記内係合体に圧接し、一方、後端部が前記外係合体と圧接する内係合体用の復帰バネとを備え、摘み部材を持って棒状キー本体を鍵穴に差込んで行くと、トリガー部材の先端面が鍵穴の周囲（一部も含む）に当たりながら該トリガー部材及び内係合体が前記復帰バネのバネ力に抗して後退し、内係合体が前記外係合体の係合孔にクラッチ状態に係合することを条件として摘み部材とトリガー部材とキー本体がそれぞれ共働回転するように一体的に結合することを特徴とする（請求項５）。好ましい実施形態としては、前記外係合体は前記内係合体の後端部に重なるように該内係合体を介してキー軸後端部に外嵌合すると共に、該内係合体よりも後方側に位置することを特徴とする。
【発明の効果】
【００１０】
（ａ）独立請求項１、独立請求項４は、キー本体が摘み部材に後退動しない態様で左右方向に回転自在に軸支されているので、錠前の鍵穴の角度とキー本体の挿入角度が不一致の場合に、その角度差如何を問わず、鍵合わせを容易にできると共に、キー本体と摘み部材を容易に連結することができる。すなわち、後者に関しては、キー本体側の内係合体とトリガー部材側の外係合体の位相が多少不一致であっても、摘み部材を左右いずれかの方向に回すだけで、内外の係合体が略噛合状態或いは係合状態となり、その結果、摘み部材とトリガー部材とキー本体がそれぞれ共働回転するように一体的に結合する。
（ｂ）独立請求項５は、図４２の（ｃ）で示すように、摘み部材１Ｂを回さない態様、図４２の（ｂ）で示すように、摘み部材１Ｂを幅広い凹所内で左右方向に回す第１段階のクラッチの態様、さらに、より好ましくは摘み部材１Ｂを幅広い凹所内で左右方向に回した後に第２段階(最終段階)のクラッチ態様にする、という具合に「複数のパターン」でもって、外係合体を介し、摘み部材を摘まんでキー本体を回転させることができる。
すなわち、キー挿入時、両者の係合部分と被係合部分の位相が一致している場合には摘み部材１Ｂを回すことなく、そのまま押し込むだけで直ちに完全なクラッチ状態(摘み部材１Ｂを回さなくても良いパターン)になり、またキー挿入時、図４２の（ｂ）で示すように、不完全なクラッチ状態となった場合であっても、摘み部材１Ｂを左右方向のいずれかに若干回すだけで（僅かな回転操作量により）、施・解錠することが可能となり(摘み部材１Ｂを時計方向又は左右方向のいずれかに若干回すパターン)、さらに、より好ましくは、前記図４２の（ｂ）のパターンに於いて、両者の係合部分と被係合部分の位相を一致させるために摘み部材１Ｂを左右いずれかの方向に若干回して、不完全なクラッチ状態から直ちに完全なクラッチ状態させることができる(第３のパターン)。
なお、図４２の（ｃ）は、望ましいパターンの一例であり、本実施形態では、要するに外係合体１０Ｂの係合部が内係合体９Ｂの被係合部に係合すさえすれば、摘み部材１Ｂの操作力によりキー本体を施・解錠方向に回すことができる。
（ｃ）請求項２に記載の発明は、トリガー部材の作動時、内外の係合体の各係合歯或いは係合縁が衝突しても、キー本体側の内係合体とトリガー部材側の外係合体の前記係合歯や係合縁は損傷しない。
（ｄ）請求項３に記載の発明は、トリガー部材を確実に復帰させることができる。
（ｅ）請求項６に記載の発明は、復帰バネがリング状バネ受け等でしっかりと支持されているので、内係合体が回転しても容易に回転しない。
（ｆ）請求項７に記載の発明は、請求項２に記載の発明と同様に緩衝機能を付与しているので、内外の係合体の各係合縁が損傷しない。
（ｇ）請求項８に記載の発明は、クラッチが、少なくとも二段方式なので、例えばキー挿入時、図４２の（ｂ）で示すように、不完全なクラッチ状態となった場合であっても、摘み部材１Ｂを左右方向のいずれかに若干回すだけで（僅かな回転操作量により）キー本体を回すことができる。
（ｈ）請求項９に記載の発明は、キー本体のキー補助突起を錠前の鍵穴に容易に合わせることができるので、キー本体を鍵穴に挿入し易い。
【図面の簡単な説明】
【００１１】
図１乃至図１５は本発明の第１実施形態を示す各説明図。図１６乃至図１９は本発明の第２実施形態を示す各説明図。図２０乃至図４２は本発明の第３実施形態を示す各説明図。図４３は後軸受の他の例を示す説明図。
【図１】キー本体の先端部を錠前の鍵穴に差込んだ態様における主要部の説明図（挿入時と引抜き時の両方の説明図）。
【図２】キー本体の正面図を基準にした説明図（前後の軸受板、内外の係合体は仮想線）。
【図３】キー本体の左側面図。
【図４】図２の４−４線概略断面説明図。
【図５】要部（前軸受板、キー本体等）を示す概略説明図。
【図６】要部（後軸受板、キー本体等）を示す概略説明図。
【図７】要部の斜視図（摘み片、トリガー部材、内係合体、キー本体等）。
【図８】要部の斜視図（摘み片、外係合体を含むトリガー部材、キー本体等）。
【図９】要部の斜視図（摘み片、外係合体を省略したトリガー部材、キー本体等）。
【図１０】トリガー部材の作動の説明図（内外の歯車体の位相が一致していた場合）。
【図１１】図１０の概念図。
【図１２】トリガー部材の作動の説明図（内外の歯車体の位相が一致しない場合）。
【図１３】図１２の概念図。
【図１４】摘み部材を左右いずれかの方向に回転させることにより、外係合体を含むトリガー部材が回転し、内外の歯車体の位相が一致する旨の説明図。
【図１５】外係合体の内係合歯と内係合体の外係合歯が互いに略噛合し、該噛合態様で摘み部材とトリガー部材とキー本体がそれぞれ共働回転するように一体的に結合した旨の説明図。
【図１６】第２実施形態に於いて、トリガー部材３Ａの外係合体の内係合面１０ａとキー本体の内係合体９Ａの外係合面９ａが不一致の場合の説明図。
【図１７】第２実施形態に於いて、内係合体９Ａが回転し、その外係合面９ａが外係合体の内係合面１０ａに対して一致した場合の説明図。
【図１８】図示しない左右一対の復帰バネのバネ力により、内係合体９Ａが外係合体（２０、１０）に入り込んだ説明図。
【図１９】図１７乃至図１８の作用を示す概略説明図。
【図２０】外観構成を示す斜視図。
【図２１】キー本体の正面図。
【図２２】キー本体の左側面図。
【図２３】キー本体の正面図を基準にしたトリガー部材、前後の軸受、内係合体、外係合体、復帰バネ、緩衝バネの位置関係を示す概略説明図。
【図２４】図２３の２４−２４線概略断面説明図。
【図２５】要部（細部を省略した下の摘み片）を示す概略斜視図。
【図２６】要部（細部を省略した下の摘み片）を示す平面視からの説明図（キー軸後端部、外嵌合体、緩衝バネを仮想線で示す）。
【図２７】主たる部材の分解斜視図（キー軸後端部の後端、トリガー部材、内係合体、バネ受けリング、復帰バネ、外係合体、緩衝バネ）。
【図２８】要部の斜視図（トリガー部材）。
【図２９】トリガー部材の正面図。
【図３０】図２９の３０−３０線断面図。
【図３１】図２９の３１−３１線断面図。
【図３２】要部の斜視図（内係合体の後側からの斜視図）。
【図３３】内係合体を後端から見た説明図。
【図３４】図３３の３４−３４線断面図。
【図３５】図３３の３５−３５線断面図。
【図３６】（ａ）外係合体を前から見た斜視図、（ａ）外係合体を後から見た斜視図。
【図３７】外係合体を後から見た説明図。
【図３８】図３７の３８−３８線断面図。
【図３９】初期状態（キー挿入前）を示す説明図。
【図４０】キー挿入時で、内係合体の後端部の端部が外係合体の係合したものの、いわばクラッチ未結合状態の説明図。
【図４１】図４０の状態から内係合体が後退動して、その後端部が外係合体を略貫通し、いわばクラッチ結合状態の説明図。
【図４２】（ａ）外係合体が内係合体の端部に嵌合、いわばクラッチ未結合状態の説明図。（ｂ）不完全なクラッチ状態、いわば第１段階のクラッチ状態の説明図。（ｃ）完全なクラッチ状態、いわば第２段階のクラッチ状態の説明図。
【図４３】後軸受の他の例を示す概略説明図。
【発明を実施するための最良の形態】
【００１２】
以下、図１乃至図１５に示す本発明を実施するための第１実施形態により説明する。
【００１３】
（１）主要部の概要
図１はキー本体２の先端部を錠前の鍵穴ａに差込んだ態様における主要部の説明図である。この図１に於いて、Ｘは錠前（シリンダー）、ａは錠前の鍵穴、ｂは鍵穴の周囲（前面）、Ｙは本発明の携帯型の錠前用キー（以下、「キーＹ」という。）である。
【００１４】
キーＹは、基本的には、上下の板状摘み片１ａ、１ｂ（図１では下方の板状摘み片１ａのみを示す）を合体することにより、やや肉厚の盤体となる摘み部材１と、この摘み部材１に前後の軸受板７、８を介して所定位置で回転するように軸支された棒状のキー本体２と、このキー本体２のキー軸後端部（前軸受板７と後軸受体８の間）１４に、その筒状部分２０及び外係合体１０が外嵌合すると共に、軸方向に移動可能に設けられ、かつ摘み部材１と共に回転するように該摘み部材１の収納空間に前記筒状部分２０及び外係合体１０が組み込まれたトリガー部材３と、摘み部材１に内装され、前記トリガー部材３の一対の水平係合腕２１の突出外端部２１ａが常に摘み部材１の先端面から所定量突出するように付勢する復帰バネ４とから成る。
【００１５】
そして、好ましくは、前記キー軸後端部１４に軸方向に移動可能な内係合体９が設けられ、該内係合体９の一側面と摘み部材１の収納空間２２の前記一側面と対向する内面には内係合体用の緩衝バネ１１が配設されている。
【００１６】
また摘み部材１の収納空間２２には、復帰バネ４が左右一対組み込まれている。以下、本発明の特定要件について順次説明するが、細部的な事項は極力その説明を割愛する。
【００１７】
（２）錠前Ｘの鍵穴ａ
錠前Ｘの鍵穴ａは、交差方向のみならず、水平方向又は垂直方向のいずれであっても良い。また鍵穴ａの形状は、例えばブレード部分と称される差込み部分の両側縁部分に刻み状の鍵溝を有するもの、又はブランキーと称される平坦面や周面に幾何学的溝、逆円錐台状窪み等を有するものがそれぞれ挿入可能なものであれば良い。図２及び図３で示すように、本実施形態のキー本体２は、外周面に複数の凹所（窪み）を有する棒状形態をしているので、錠前Ｘの鍵穴ａは、例えば単純な水平方向や垂直方向の穴ではなく、望ましくは、鍵穴ａは円形、楕円形、十字形状等に形成され、かつ鍵穴ａの開口縁部分に傾斜状のキー誘導面を有している。
【００１８】
（３）キー本体２
図２は棒状のキー本体２の正面図を基準にした説明図で、前後の軸受板７、８、内外の係合体９、１０は仮想線で示してある（緩衝バネは省略）。また図３はキー本体２の左側面図である。キー本体２の具体的構成態様は、本発明の特定要件ではないので、詳細な説明は割愛するが、図２及び図３で示すように、キー本体２は、複数の横溝（例えば４個）１６及び複数種類のキーコード（例えば大小の窪み）を有する棒状先端部１２と、この棒状先端部１２に連続する大径中央部１３と、前後の軸受板７、８の間に相当するキー軸後端部１４と、このキー軸後端部１４に連設するフランジ状後端部１５とから成る。
【００１９】
そして、前記棒状先端部１２には、その先端部分にやや小径の弾頭状或いは指先状のキー挿入補助突起１２ａが連続形成されている。付言すると、特に図示しないが、棒状先端部１２は軸方向に沿った縦断面の長さが位置によって変化する外形線（軸方向に凸所と凹所が繰返す意味）を有する中実棒状体であり、またキー挿入補助突起１２ａは、図２で示すように、先端部１２側の握り状先端よりも半径がさらに小さい挿入部分であり、上下の対角線方向の外面部位に深さが略同一の横溝１６が軸方向に形成されている（図３参照）。なお、図２で示す小さな楕円形状に見える箇所が前記横溝１６内の外面に形成したキーコードとしての窪み１６ａであり、実施形態の棒状先端部１２は、窪み１６ａ以外に、前述した外形線（軸方向に凸所と凹所が繰返す意味）もキーコードとして用いることができる。
【００２０】
前記大径中央部１３及びキー軸後端部１４は、左右上下に突起部分１７、１８を有し、キー軸後端部１４の＋形状の突起部分１８は、図４及び図７で示すように内係合体９の内周面に形成した＋形状の被係合部分に係合する。したがって、内係合体９は軸方向に移動可能であるものの、キー軸後端部１４の＋形状突起部分（係合部分）１８と不番の＋形状の被係合部分が一体的に係合していることから、キー本体２と共に共働回転する。
【００２１】
（４）具体的な構成
符号２は、摘み部材１（１ｂ）に前後の軸受（実施形態では前後の軸受板７、８）を介して後退動しない態様で左右方向に回転自在に軸支され、かつ前記前後の軸受間のキー軸後端部１４にノコギリ状の外係合歯９ａが形成された内係合体９を有するキー本体である。
【００２２】
前記摘み部材１は、図５及び図６の仮想線で示すように、上下で一組の板状摘み片１ａ、１ｂで構成されている。例えば下方の板状摘み片１ａは、図１で示すように、不番の複数個の取付け小孔や小突起を有し、実施形態では、後端部の中央部に形成されたキーホルダー用の貫通孔２６の直ぐ内側に後軸受板８用の不番嵌合溝及び該不番嵌合溝に連通する大小の収納凹所２２、２３及び先端面側の小収納凹所２３に連通する前軸受板７用の不番嵌合溝を有している。
【００２３】
キー本体２の構成は、前（２）で説明した通りである。全体として棒状のキー本体２は、図５で示す前軸受板７と図６で示す後軸受板８によって所定位置にて左右自在に回転するように軸支されている。前後の軸受板７、８は、キー本体２を支持することができるように、例えば左右に二分割され、これらの左右の分割片を組み合わせるように不番嵌合溝に嵌め込むと、キー本体２の後端部側に周設した前後の周溝１９，１９にそれぞれ嵌合する。後軸受板８はキー本体２が前後に移動しないように支持するための円形支持孔８ａを有する単純な矩形板状の形態で良いが、前軸受板７はキー本体２を回転可能に支持する円形支持孔７ａのみならず、トリガー部材３の左右一対の水平係合腕２１をそれぞれ案内するための被係合部分（例えば横方向の切欠や溝）７ｂを有している。
【００２４】
例えば図７及び図８で示すように、トリガー部材３は、内係合体９と共にキー軸後端部１４に外嵌合しているが、実施形態では、内係合体９よりも前方の前記キー軸後端部１４に軸方向に移動可能に設けられている。
【００２５】
しかして、トリガー部材３は、キー軸後端部１４に外嵌合する筒状部分２０と、この筒状部分２０の左右部位に基端部が固定された左右一対の水平係合腕２１と、これらの水平係合腕２１の基端部と交差するように前記筒状部分２０の後端部の左右部位に突設された左右一対の連結突片２４と、これらの連結突片２４に対向する左右一対の合わせ突片２３を介して筒状部分２０の後端面に一体的かつ分解可能に不番の貫通ピンやバネ端支持ピン等を介して連結され、しかも、その内周面にノコギリ状の内係合歯１０ａが形成された外係合体１０とから構成され、前記水平係合腕２１の突出外端部２１ａは、トリガー部材３が摘み部材に内装の左右一対の復帰バネ４のバネ力により付勢されていることから、常に摘み部材（下方の板状摘み片１ａ）１の先端面から所定量突出している。なお、前記筒状部分２０と外係合体１０は一体成形しても良い。
【００２６】
（５）作用
次に、図１０乃至図１５を参照にして作用を説明する。図１０は内外の歯車体の位相が一致していた場合におけるトリガー部材３の作動の説明図である。そして、図１１は位相が一致していた場合の概念図である。内外の係合体９、１０の位相が一致している、一致していないに関わらず、摘み部材１を持ってキー本体２を錠前Ｘの鍵穴ａに差込んで行くと、まずトリガー部材３の水平係合腕２１の突出外端部２１ａの先端面が鍵穴ａの周囲（一部も含む）ｂに当たる。その状態で摘み部材１を相手（錠前）  Ｘ側にさらに押し込むと、内外の係合体９，１０の外係合歯９ａと内係合歯１０ａの位相が一致しているので、トリガー部材３は矢印で示す方向へ復帰バネ４のバネ力に抗して所要量移動し、前記外係合歯９ａと内係合歯１０ａが直ちに噛合状態となり、その結果、キー本体２側の内係合体９と摘み部材１側或いは該摘み部材１と共働回転し得るように組み込まれたトリガー部材３側の外係合体１０が連結状態となる（図１１参照）。
【００２７】
一方、図１２は内外の歯車体の位相が一致していない場合におけるトリガー部材３の作動の説明図である。そして、図１３は位相が一致していない場合の概念図である。位相が一致していない場合は、当然のことながら、トリガー部材３が復帰バネ４のバネ力に抗して所定量（例えば３ｍｍ）移動する。その際、内係合体９は外係合体１０の後端面で押されるので、緩衝バネ１１はバネ力に抗して収縮する。
【００２８】
そこで、摘み部材１を左右いずれかの方向へ回転させる。そうすると、実施形態では、内外の係合体９，１０の外係合歯９ａと内係合歯１０ａは、いわゆるスプライン、或いはセレーション状に形成されているので、両係合歯９ａ、１０ａは容易に一致し、緩衝バネ１１で押し戻された内係合体９は外係合体１０に嵌入する。つまり、両係合体９，１０は可及的速やかに噛合する。その結果、噛合態様で摘み部材１とトリガー部材３とキー本体２がそれぞれ共働回転するように一体的に結合する（図１４、図１５参照）。
【００２９】
なお、図１はキー本体の先端部を錠前の鍵穴に差込んだ態様における主要部の説明図であるが、この図１は挿入時と引抜き時の両方を兼用する説明図である。つまり、キー本体を鍵穴ａから引き抜く際、左右一対の復帰バネ４で付勢されたトリガー部材３は、初期位置へと移動し、その結果、トリガー部材３の外係合体１０は内係合体９から離れる（噛合状態の解消）。
【実施例】
【００３０】
発明の実施の形態で示した実施例に於いて、摘み部材１の外観形状は、盤状の他、断面円形、楕円形等任意の形状であっても良い。またキー本体２のブレード部分の形状や先端部の形状も任意に設計し得る事項である。復帰バネ４は、好ましくは、摘み部材１の内部空間を有効に活用するために単数又は複数の圧縮バネが採用される。その他、トリガー部材３の水平係合腕２１の形状は、発明の目的を逸脱しない範囲で任意に設計変更することができる。
【００３１】
以下、第２実施形態及び第３実施形態を説明する。なお、これらの実施形態を説明するにあたって、同一の部分や設計変更の部分には、同一又は同様の符号を付して重複する説明を割愛する。
【００３２】
図１６乃至図１９は本発明の第２実施形態を示す各説明図である。第２実施形態に於いて、図１６はトリガー部材３Ａの外係合体１０Ａの内係合面１０ａとキー本体の内係合体９Ａの外係合面９ａが不一致の場合の説明図（トリガー部材３Ａは、その筒状部分２０と外係合体１０Ａが一体に成形されている）、図１７は、内係合体９Ａが回転し、その外係合面９ａが外係合体の内係合面１０ａに対して一致した場合の説明図、図１８は図示しない左右一対の復帰バネのバネ力により、内係合体９Ａが外係合体（２０、１０Ａ）に入り込んだ説明図、そして、図１９は図１７乃至図１８の作用を示す概略説明図である。
【００３３】
これらの図から明らかなように、第２実施形態の係合手段は、内外の係合歯１０ａ、９ａの係脱構造であるが、互いに対応する内外の係合面１０ａ、９ａであっても良い。実施形態では、内外の係合面１０ａ、９ａは、４回転対称であるが、回転対称の数は３回転乃至６回転の範囲が好ましい。
【００３４】
したがって、第２実施形態の携帯型の錠前用キーＹ１は、トリガー部材３Ａの外係合体１０Ａの多角形状の内係合面１０ａとキー本体の内係合体９Ａの多角形状の外係合面９ａが、図１８で示すように互いに係合することを条件として摘み部材１とトリガー部材３Ａとキー本体２がそれぞれ共働回転するように一体的に結合する。このように構成しても、本発明の課題は、第１実施形態と同じである。
【００３５】
図２０乃至図４２は本発明の第３実施形態を示す各説明図である。この第３実施形態は、前記第１実施形態又は第２実施形態に対して、異なる点が非常に多数あるので、極力、第１実施形態の図面と対比しながら説明する。なお、細部的事項の説明は極力割愛する。
【００３６】
（Ａ）第１実施形態の摘み部材１と主な相違点…第１実施形態の図１、図７と第３実施形態の図２０、図２５、図２６を比較すると明らかなように、第３実施形態の下の摘み片１ｂは、皿状形態である点、皿状摘み片１ｂの先端部の略中央部分に短筒状のガイド部（第１実施形態の前軸受板７に相当）３１が形成されている点、大の収納空間（大収納凹所）２２の前側の内面に緩衝バネ１１Ｂで付勢される外係合体１０Ｂの左右一対の横向きの係合小凹所３２、３２（図３６参照）が同時に係合する左右一対の係合小突起３３、３３が設けられている点、前記大収納凹所２２に後方の略中央部に連通する平面視右横倒れＴ字形状凹所８Ｂ（図２６を基準）が、第１実施形態の後軸受板８に相当する点、下の摘み片１ｂ（上の摘み片１ａも同様）の形状が略円形である点である。さらに、図２６で示すキーホルダー係止用枠状片３５を該下の摘み片１ｂに取付けた際、該キーホルダー係止用枠状片３５が突出することにより、キーホルダー係止用貫通孔が出来上がるように下の摘み片１ｂ（上の摘み片１ａも同様）の後端部が周方向にやや幅広に切欠され、該幅広切欠端面にその余の周壁に連続する周壁３４を設けた点である。
【００３７】
（Ｂ）第１実施形態のキー本体２と主な相違点…第１実施形態の図２と第３実施形態の図２１、図２３を比較すると明らかなように、第１実施形態のキー本体２のプラス型の大径中央部１３は、トリガー部材３の水平係合腕２１の長さを考慮してやや横方向に長い突条形状であるのに対して、第３実施形態のプラス型の大径中央部１３Ｂは、横方向に短い突起である点（少なくとも三分の１以下の長さ）である点。これにより、棒状キー本体２Ｂの長さを、第１実施形態のキー本体２よりも短くすることができる。
【００３８】
さらに、第１実施形態のプラス型の大径中央部１３はトリガー部材３の水平係合腕２１と非係合状態であるのに対して、前記プラス型の大径中央部１３Ｂは、少なくとも初期状態（キー挿入前）にトリガー部材３Ｂの前方筒状部２１Ｂの突出外端部２１ａと係合状態である点である（図３９、図４０参照）。付言すると、キー挿入前、摘み部材１Ｂを摘まんでキー本体２Ｂを任意に回転させると、キー本体２Ｂの大径中央部１３Ｂがトリガー部材３Ｂに係合しているので、キー本体２Ｂと共にトリガー部材３Ｂが回転する。
【００３９】
また、この実施形態では、後述するようにキー本体２Ｂと共に内係合体９Ｂも回転する。一方、長板状の外係合体１０Ｂは回転不可能に摘み部材１Ｂに組み込まれているので、常に回転しない、但し、緩衝バネ１１Ｂに抗して後退動可能である。また、この実施形態では、初期状態（キー挿入前）であっても、内係合体９Ｂの後端部に形成した第１係合部分５４ａが外係合体１０Ｂに若干係入している。もちろん、実施形態如何によっては、第１実施形態の如く、内係合体９Ｂと外係合体１０Ｂは、非係合状態であっても良い。
【００４０】
（Ｃ）第１実施形態に対する主な相違点…例えば図１と図３９を対比すると、各部材の配設位置や結合の有無が著しく異なる点である。例えば第１実施形態のトリガー部材３と外係合体１０は、複数の連結突片２４、２５を介して一体的に結合し又は両者は一体成形されており、前者の場合にはトリガー部材３の後端に外係合体１０が位置付けられているのに対して、第３実施形態のトリガー部材３Ｂと外係合体１０Ｂは完全に別体であり、しかも、内係合体９Ｂの後方に位置している。また内係合体９Ｂは、トリガー部材３Ｂと外係合体１０Ｂの間に介在している。
【００４１】
さらに、第１実施形態の内係合体用の復帰バネ４，４は、下の摘み片１ｂの大収納凹所２２に左右一対配設されているのに対して、第３実施形態の内係合体用の復帰バネ４Ｂは、内係合体９Ｂに巻装された一つの付勢バネであり、該一つの付勢バネ４Ｂは、その先端部が前記内係合体の先端鍔にリング状バネ受け３６を介して圧接し、一方、その後端部が外係合体１０Ｂの前面と圧接している。
【００４２】
加えて、内筒体用の緩衝バネに関して、第１実施形態の内筒体用の緩衝バネ１１は、キー軸後端部１４の後端部分に巻装され、内筒体９の後端面に直接圧接しているのに対して、第３実施形態の緩衝バネ１１Ｂは、下の摘み片１ｂ大収納凹所２２に左右一対配設され、しかも、左右一対の緩衝バネ１１Ｂ、１１Ｂは、外係合体１０Ｂの環状部分の略中央部から突出する左右一対の突起部分の後端面に圧接している。
【００４３】
（Ｄ）第１実施形態に対する主な相違点…図２７で示すように、トリガー部材３Ｂ、その後方に位置する内係合体９Ｂ、その後方に位置する外係合体１０Ｂの各具体的構造が相違する点。また内係合体９Ｂと外係合体１０Ｂとの係合態様（いわばクラッチ方式）が第１実施形態と相違する一方、第２実施形態のそれと略同様である点。しかも、第２実施形態の係合態様（いわばクラッチ方式）に若干の改良（完全クラッチの容易化）を加えた点。そこで、トリガー部材３Ｂ、内係合体９Ｂ、外係合体１０Ｂの具体的構成、係合態様（いわばクラッチ方式）を説明する。
【００４４】
（Ｅ）トリガー部材３Ｂ…図２８乃至図３１を参照にして、トリガー部材３Ｂを説明する。これらの図に於いて、４１はやや長筒状の前方筒状部、４２は複数の連結部分、４３は連結部分を介して前記前方筒状部に連設するリング状の後方筒状部である。
【００４５】
図２３で示すようにキー本体２Ｂは、トリガー部材３Ｂを貫通し、かつ、キー本体２Ｂが回転するとトリガー部材３Ｂも共に回転するので、少なくとも前方筒状部４１又は後方筒状部４３のいずれかは、係合切欠部分や係合開口を有している。
【００４６】
実施形態では、前方筒状部４１は、鍵穴ａの周面ｂと当接可能な円形状先端面４１ａから円形状後端面４１ｂに向かって略十型の係合切欠４４を有し（実施形態では、左右は完全な切欠、上下は不完全な切欠）、この略十型切欠４４にはキー本体３Ｂのプラス型大径中央部１３Ｂが係合する。また後方筒状部４３は略十型の係合開口４５を有し、この略十型の係合開口４５には、キー本体３Ｂの他の突起部分が係合する。
【００４７】
さらに、図３９及び図４０を参照にして、トリガー部材３Ｂを説明すると、前方筒状部４１は皿状摘み片１ｂの短筒状あるいはリング状のガイド部３１に案内されるように嵌合している。一方、後方筒状部４３は皿状摘み片１ｂの小収納凹所２３内に位置し、その後端面４３ｂが内係合体９Ｂの先端鍔部５１に当接あるいは当接可能な状態となっている。したがって、実施形態では、キー本体２Ｂを鍵穴ａに挿入すると、前方筒状部４１の先端面４１ａが前記鍵孔ａの周面ｂに当たり、前方筒状部４１が摘み部材１Ｂのガイド部３１に案内されて後退動することから、後方筒状部４３の後端面４３ｂが内係合体９Ｂの先端鍔部５１を押すので、トリガーとしての役割を果たす。
【００４８】
（Ｆ）内係合体９Ｂ…図３２乃至図３５を参照にして、内係合体９Ｂを説明する。これらの図に於いて、５１は円形の先端鍔部、５２は円形の先端鍔部に連設するやや長筒状係合筒部である。図２３で示すように、キー本体２Ｂは内係合体９Ｂを貫通し、かつキー本体２Ｂが回転すると内係合体９Ｂも共に回転するので、係合切欠又は係合開口を有している。実施形態では、トリガー部材３Ｂの後方筒状４３と同様に略十型の係合開口５３が円形の先端面５１ａから円形の後端面５２ｂにかけて形成されている。
【００４９】
しかして、長筒状係合筒状部５２の後端部の外周面は、後端面５２ｂから先端面５１ａに向かって、複数の係合部分５４が切欠形成されている。符号５４ａは、前記後端面５２ｂに最も近い後端部の外周面に形成された円周面（非入江状）を有する第１係合部分で、この第１係合部分５４ａは、キー挿入前（図３９）から多少（半分程度）外係合体１０Ｂに係入している。したがって、実施形態では、キー挿入時、第１係合部分５４ａを外係合体１０Ｂの非真円形状の係合孔６１に合わせる必要がない。
【００５０】
符号５４ｂは、前記非入江状の第１係合部分５４ａに連設する入江状の第２係合部分で、この入江状第２係合部分５４ｂは、後端面５２ｂ寄りの後端部に周方向に所定間隔を有して段差状に突出する複数のやや幅広の第１段差部分５５が存在することにより、複数（例えば、４個）形成されている。
【００５１】
符号５４ｃは、前記入江状の第２係合部分５４ｂに連通する入江状の第３係合部分で、この入江状の第３係合部分５４ｃは係合筒部５２の略中央部に位置し、前記第２係合部分５４ｂの入江幅よりも狭い。
【００５２】
入江状第３係合部分５４ｃは周方向に所定間隔を有して段差状に突出する複数の幅狭の第２段差部分５６が存在することにより、複数（例えば、４個）形成されている。
【００５３】
この様に、内係合体９Ｂの外周面には、後端面５２ｂから先端面５１ａに向かうに従い幅広の入江部分５４ｂと幅狭の入江部分５４ｃが複数設けられている。
【００５４】
（Ｇ）外係合体１０Ｂ…図３６乃至図３８を参照にして、外係合体１０Ｂを説明する。これらの図に於いて、６１は複数の凹所６２と凸所６３が規則的に連設する内周面を有する非真円形状の係合孔、６４は前記係合孔６１を有する環状部分、６５は前記環状部分６４の左右の略中央部から耳状に突出する左右一対の突起部分、６６は前記突起部分６５に短柱状に設けた左右一対のバネ端支持部、そして、３２は前述した左右一対の係合凹所である。実施形態の外係合体１０Ｂの外観形状は、例えば全体として腕時計本体のイメージを彷彿させる（図３７参照）。
【００５５】
ところで、外係合体１０Ｂの内周面には、その周方向に幅広凹所６２と、ここの幅広凹所６２よりも幅が狭く、かつ、幅広凹所６２に連設する左右の面が傾斜状の幅狭凸所６３が、それぞれ合計４個設けられているが、前記幅広凹所６２及び幅狭凸所６３は、前述した内係合体９Ｂの入江状第２係合部分５４ｂ並びに入江状第３係合部分５４ｃの各幅をそれぞれ考慮して設定されている。
【００５６】
実施形態では、キー挿入時において、「第１クラッチ」が入り易くするように内係合体９Ｂの第１段差部分５５の幅Ｗ１が、外係合体１０Ｂの幅広凹所６２の幅Ｗ２よりも狭く、したがって、第１段階の第１クラッチでは、前記第１段差部分５５が前記幅広凹所６２に対して遊嵌合の状態であり、摘み部材１Ｂを若干左右に回すことができる。そして、第２段階のクラッチ（最終段階）では、幅広凹所６２の中に第１段差部分５５の左右一対の第２段差部分５６，５６が入り込む。
【００５７】
（Ｈ）内係合体９Ｂと外係合体１０Ｂの係合態様（クラッチ方式）…外係合体１０Ｂの内周面に幅広凹所６２と幅狭凸所６３を有する係合孔６１に内嵌合する内係合体９Ｂは、その係合筒部５２の外周面に幅広の第１段差部分５５と幅狭の第２段差部分５６とが、後端面側から先端面側に向かって、かつ周方向に所定間隔を有して複数個設けられ、周方向に位置する前記幅広の第１段差部分同志５５，５５の間は大きい入江状係合部分５４ｂであり、一方、周方向に位置する前記第２段差部分同志５６，５６の間は小さい入江状係合部分５４ｃであり、クラッチの作動時、前記幅広凹所６２に前記第１段差部分５５が遊嵌合状態に係入した場合は不完全なクラッチ段階（図４０）であり、一方、前記幅広凹所６２に前記第１段差部分５５と共に前記第２段差部分５６が係入した場合は完全なクラッチ段階である（図４１）。前述したように、実施形態では、不完全なクラッチ段階（図４０）であっても、キー本体を回すことができる。
【００５８】
（Ｉ）第３実施形態の技術的思想…したがって、第３実施形態の携帯型の錠前用キーＹ２の技術的思想は、次の通りである。すなわち、携帯型の錠前用キーＹ２は、摘み部材１Ｂに所定位置で左右方向に回転自在に軸支された棒状キー本体２Ｂと、この棒状キー本体のキー軸後端部１４に係合状態で外嵌合するトリガー部材３Ｂと、このトリガー部材の後端部に押圧され得るように前記キー軸後端部１４に外嵌合する内係合体９Ｂと、前記キー軸後端部１４に凹凸６２，６３が連続形成された非真円形状の係合孔６１を有して外嵌合すると共に、前記内係合体９Ｂよりも後方に位置する外係合体１０Ｂと、先端部が前記内係合体９Ｂに圧接し、一方、後端部が前記外係合体１０Ｂと直接又は間接的に圧接する内係合体用の復帰バネ４Ｂとを備えている。好ましい実施形態としては、前記外係合体は前記内係合体の後端部に重なるように該内係合体を介してキー軸後端部に外嵌合すると共に、該内係合体よりも後方側に位置する。
【００５９】
そして、使用する際、摘み部材１Ｂを持って棒状キー本体２Ｂを鍵穴ａに差込んで行くと、トリガー部材の先端面が鍵穴の周囲（一部も含む）に当たりながら該トリガー部材３Ｂ及び内係合体９Ｂが前記復帰バネ４Ｂのバネ力に抗して後退し、初期状態で「非係合状態」であれ、又は「一部係合状態」であれ、内係合体９Ｂが前記外係合体１０Ｂの凹凸６２，６３を有する非真円形状の係合孔６１にクラッチ状態に係合（望ましくは完全クラッチ状態）することを条件として、摘み部材１Ｂとトリガー部材３Ｂとキー本体２Ｂがそれぞれ共働回転するように一体的に結合する。
【００６０】
そして、上記構成に於いて、外係合体１０Ｂは、望ましくはキー軸後端部１４に軸方向に移動可能に設けられ、該外係合体１０Ｂの後面と摘み部材１Ｂの大きい収納空間２２の後面と対向する内面には、複数の外係合体用緩衝バネ１１Ｂが配設されている。
【００６１】
（Ｊ）図４３…キー軸後端部１４を軸支する後軸受８Ｂの他の例（後軸受板８Ｃ）を示す概略説明図である。
【００６２】
第１実施形態では、キー軸後端部１４を軸支する後軸受８は、例えば軸受け板であるが、第３実施形態の後軸受８Ｂを第１実施形態と同様に「軸受け板８Ｃ」にすることもできる。この場合に於いて、軸受け板８Ｃの中央部を略直角に折り曲げて角度を有する形状とし、軸受け板８Ｃの垂直板部分８ｂにキー軸後端部１４の小径部分１４ａに連続するフランジ状端部１４ｂを受け入れる大径孔７１を形成すると共に、該大径孔７１に連通するやや横長状の小径孔（フランジ状端部１４ｂよりも半径が小さい孔）７２を形成する。一方、軸受け板８Ｃの水平板部分８ｃに係止手段としての固定具７３が係合する係合部分（小孔、切欠等）７４を形成する。
【００６３】
後軸受を上記のような軸受け板８Ｃに設計変更すると、新たな発明の課題（キー本体２Ｂを摘み部材１Ｂから容易に抜き取ること）が登場し、キー軸後端部１４を軸受け板８Ｃから抜き取る場合には、固定具７３を軸受け板８Ｃの係合部分（小孔、切欠等）７４から外し、軸受け板８Ｃを矢印Ａ方向にスライドさせ、いわば横長状の小径孔７２から大径孔７１に切替えて、キー軸後端部１４（キー本体２Ｂ）を矢印Ｂ方向へ移動させて、キー本体２Ｂを摘み部材１Ｂから容易に抜き取ることができる。
【００６４】
（Ｋ）内係合体９Ｂと外係合体１０Ｂの係合関係は、例えば係合部分５４（第１係合部分５４ａ、第２係合部分５４ｂ、第３係合部分５４ｃ）を外係合体１０Ｂに設け、一方、前記係合部分５４に係合する係合孔６１（凹所６２、凸所６３）を内係合体９Ｂに設けても良い（実質的同一性）。また、内係合体９Ｂと外係合体１０Ｂのクラッチは、二段式のほか、三段式（多段式）であっても良い。
【産業上の利用可能性】
【００６５】
本発明は、主に錠前や建具の業界で利用される。
【符号の説明】
【００６６】
Ｘ…錠前、ａ…鍵穴、ｂ…鍵穴の周囲、
Ｙ…キー、１、１Ｂ…摘み部材、２、２Ｂ…キー本体、
３、３Ａ、３Ｂ…トリガー部材、
４、４Ｂ…復帰バネ、
７…前軸受板、８、８Ｂ、８Ｃ…後軸受板、
９、９Ａ、９Ｂ…内係合体、
９ａ…内係合体の外係合歯或いは外係合面、
１０、１０Ａ、１０Ｂ…外係合体、
１０ａ…外係合体の内係合歯或いは内係合面、
１１、１１Ｂ…緩衝バネ、
１２…キー本体の先端部、
１３、１３Ｂ…キー本体の大径中央部、
１４…キー軸後端部、１５…フランジ状後端部、
２０…トリガー部材の筒状部分、
２１…水平係合腕、２１ａ…突出外端部、
３１…ガイド部、３２…係合凹所、３３…係合小突起、
４１…前方筒状部、４３…後方筒状部、
４４…係合切欠、４５、５３…係合開口、
５１…先端鍔部、５２…係合筒部、
５４…係合部分
５４ａ…第１係合部分、５４ｂ…第２係合部分、５４ｃ…第３係合部分、
５５…第１段差部分、５６…第２段差部分、
６１…係合孔、６２…凹所、６３…凸所、
６４…環状部分、６５…突起部分。
【図１】
2015098769.tif 000003
【図２】
2015098769.tif 000004
【図３】
2015098769.tif 000005
【図４】
2015098769.tif 000006
【図５】
2015098769.tif 000007
【図６】
2015098769.tif 000008
【図７】
2015098769.tif 000009
【図８】
2015098769.tif 000010
【図９】
2015098769.tif 000011
【図１０】
2015098769.tif 000012
【図１１】
2015098769.tif 000013
【図１２】
2015098769.tif 000014
【図１３】
2015098769.tif 000015
【図１４】
2015098769.tif 000016
【図１５】
2015098769.tif 000017
【図１６】
2015098769.tif 000018
【図１７】
2015098769.tif 000019
【図１８】
2015098769.tif 000020
【図１９】
2015098769.tif 000021
【図２０】
2015098769.tif 000022
【図２１】
2015098769.tif 000023
【図２２】
2015098769.tif 000024
【図２３】
2015098769.tif 000025
【図２４】
2015098769.tif 000026
【図２５】
2015098769.tif 000027
【図２６】
2015098769.tif 000028
【図２７】
2015098769.tif 000029
【図２８】
2015098769.tif 000030
【図２９】
2015098769.tif 000031
【図３０】
2015098769.tif 000032
【図３１】
2015098769.tif 000033
【図３２】
2015098769.tif 000034
【図３３】
2015098769.tif 000035
【図３４】
2015098769.tif 000036
【図３５】
2015098769.tif 000037
【図３６】
2015098769.tif 000038
【図３７】
2015098769.tif 000039
【図３８】
2015098769.tif 000040
【図３９】
2015098769.tif 000041
【図４０】
2015098769.tif 000042
【図４１】
2015098769.tif 000043
【図４２】
2015098769.tif 000044
【図４３】
2015098769.tif 000045